(57)【要約】【課題】合成樹脂製の内レールに対して金属製の球戻り防止具を容易に着脱可能な構造を提供する。【解決手段】合成樹脂製の内レール２２の発射口側端部に設けた保持部３４に金属製の球戻り防止具５０を配設する。保持部３４は、内レール２２に連接する本体３６と、本体３６に連設して外レールから離間する方向へ延在する第１の壁部３８と、第１の壁部３８の本体３６から離間する端部に形成される第２の壁部４０と、本体３６の内面側に設けられる係合孔４８とから構成する。球戻り防止具５０は、本体３６に当接する基部５４と、弾性変形によりパチンコ球の発射を許容し、遊技領域から案内レールへのパチンコ球の進入を阻止する阻止片部６０と、第２の壁部４０に当接する当接片部５６と、基部５４に形成されて係合孔４８に対して係脱可能に係合する係合突部５５と、基部５４に設けられて係合孔４８および係合突部５５の係合を解除させる操作部５８とから構成する。【選択図】図３
2007229142.tif 000002
【特許請求の範囲】
【請求項１】
外レールと合成樹脂製の内レールとからなる案内レールを遊技盤の前面に配設して、該案内レールを通過した遊技球を遊技領域へ発射すると共に、前記内レールにおける発射口側の端部に設けた保持部に金属製の球戻り防止具を配設して、遊技領域へ発射された遊技球が案内レールへ戻るのを防止するよう構成した遊技機において、
前記保持部は、前記外レールに沿うよう前記内レールに連接して延在する本体と、前記本体に連設されて前記外レールから離間する方向へ延在し、前記遊技盤の前面に当接する第１の壁部と、前記第１の壁部における本体から離間する端部に形成されて前方へ突出する第２の壁部と、前記本体または第２の壁部の内面側に設けられる第１係合部とから、前方および遊技球の発射方向へ開口するよう構成し、
前記球戻り防止具は、前記本体および第２の壁部の間に収容され、該本体に当接する基部と、前記基部に連設されて前記保持部の発射方向の開口から前記遊技領域に延在し、弾性変形することで前記案内レールから遊技領域への遊技球の発射を許容する一方、該遊技領域から案内レールへの遊技球の進入を阻止する阻止片部と、前記基部に連設されて前記本体および第２の壁部の間に収容され、該第２の壁部に当接する当接片部と、前記基部または当接片部に形成され、前記第１係合部に対して係脱可能に係合する第２係合部と、前記第２係合部を形成した基部または当接片部に設けられ、前記第１係合部および第２係合部の係合を解除させる操作部とから構成し、
前記本体と第２の壁部との間に、前記基部および当接片部を臨ませることで、前記第１係合部と第２係合部とが係合して前記球戻り防止具が前記保持部に保持され、前記操作部を操作して前記第１係合部と第２係合部との係合を解除することで、前記保持部から球戻り防止具を取外し得るようにした
ことを特徴とする遊技機における球戻り防止具の着脱構造。
【請求項２】
前記第２の壁部における発射方向側の端部には、前記本体側へ延出する位置規制片が形成されて、前記保持部に球戻り防止具を配設した際に、前記当接片部における発射方向側の端部が位置規制片に当接するようになっている請求項１記載の遊技機における球戻り防止具の着脱構造。
【請求項３】
前記保持部は、前記第１係合部としての係合孔が前記本体に形成され、
前記球戻り防止具は、前記第２係合部としての係合突部が前記基部に突設されると共に、前記基部の後端部に当接片部を連設して基部を当接片部側へ弾性変形させ得るよう形成され、
前記操作部を操作して前記基部を当接片部側へ弾性変形させることで、前記係合孔と係合突部との係合を解除し得るよう構成した請求項１または２記載の遊技機における球戻り防止具の着脱構造。
【発明の詳細な説明】
【技術分野】
【０００１】
本発明は、遊技機における球戻り防止具の着脱構造に関し、より詳細には、遊技盤に設けられた合成樹脂製の内レールに対する金属製の球戻り防止具の着脱構造に関するものである。
【背景技術】
【０００２】
代表的な遊技機であるパチンコ機は、外郭をなす外枠に対して遊技盤を保持した中枠を開閉可能に組み付けると共に、該中枠に対して遊技盤を透視保護するガラス板を設けた前枠や、パチンコ球を貯留する球皿部材を組み付けて構成される。前記遊技盤には、略円形状の案内レールにより遊技領域が画成されており、中枠における遊技盤の下方位置に配設した打球発射装置により打ち出される前記球皿部材のパチンコ球を、この案内レールを介して遊技領域内の上部へ発射させることにより、所要の遊技を行なうようになっている。
【０００３】
ここで、前記案内レールは、遊技盤の外周近傍に設けられる外レールと、該外レールから所要間隔だけ内側に離間する位置に設けられる内レールとから構成されて、前記打球発射装置により打ち出されたパチンコ球は、外レールおよび内レールの間を通過して遊技領域の上部に案内される。また、前記案内レールには、遊技領域内で釘等との接触により弾かれたパチンコ球がレール内に戻るのを防止する球戻り防止具が前記内レールの発射口側の端部に取り付けられ、パチンコ球のスムーズな発射をなし得るよう構成される。
【０００４】
このような案内レールにあっては、パチンコ球との接触が少ない内レールを合成樹脂材で形成して、コスト削減等を図る傾向が強くなっている。ここで、合成樹脂製の内レールに対して金属製の球戻り防止具を確実に取り付ける技術として、例えば、特許文献１には、内レールの発射口側の端部にベース体を一体的に設け、該ベース体から遊技盤側に立設したインサートピンに球止め部材(すなわち球戻り防止具)を揺動可能に支持する技術が開示されている。なお、球止め部材は、遊技盤と、該遊技盤にネジ止めされるベース体とにより所定位置に取り付けられる。また、特許文献２には、取付ホルダに設けたボスに対して弾性薄片(すなわち球戻り防止具)の巻き部を巻き掛けた状態で、内レールの発射口側の端部に取付ホルダをネジ止めする技術が開示されている。このとき、弾性薄片におけるボスに対する巻き部は取付ホルダ内の装着空間に収容され、該装着空間を遊技盤で閉成するから、該弾性薄片が所定位置に取り付けられる。
【特許文献１】特開平８−１５５０９２号公報
【特許文献２】特開平１１−２３５４２３号公報
【発明の開示】
【発明が解決しようとする課題】
【０００５】
しかしながら、前述したように、球戻り防止具をピンで揺動可能に枢支する構成や、別途設けた取付ホルダに巻き掛ける構成では、部品点数の増大を招来し、取付作業の煩雑化やコストが高騰する問題ある。また、近年は、リサイクルを効率的に図ることが求められ、廃棄物に関しては素材毎に分別することが強く要請される。しかし、前述した特許文献１および２に開示された前記球戻り防止具をピンで固定する場合や、取付ホルダを介して球戻り防止具を固定する構成では、該内レールに対する球戻り防止具の着脱については何ら考慮されていない。すなわち、球戻り防止具を着脱するに際しては、内レール自体または取付ホルダを固定するネジを取り外したもとで作業を行なう必要があり、作業が煩雑になって作業時間やコストの増大を招来し、場合によっては分別が確実に行なわれない事態も生じる問題を内在している。
そこで、本発明は、合成樹脂製の内レールに対して、金属製の球戻り防止具を容易に着脱可能な遊技機における球戻り防止具の着脱構造を提供することを目的とする。
【課題を解決するための手段】
【０００６】
前記課題を克服し、所期の目的を達成するために、本願の請求項１に係る遊技機における球戻り防止具の着脱構造は、
外レール(20)と合成樹脂製の内レール(22)とからなる案内レール(12)を遊技盤(10)の前面に配設して、該案内レール(12)を通過した遊技球(B)を遊技領域(16)へ発射すると共に、前記内レール(22)における発射口(26)側の端部に設けた保持部(34)に金属製の球戻り防止具(50)を配設して、遊技領域(16)へ発射された遊技球(B)が案内レール(12)へ戻るのを防止するよう構成した遊技機において、
前記保持部(34)は、前記外レール(20)に沿うよう前記内レール(22)に連接して延在する本体(36)と、前記本体(36)に連設されて前記外レール(20)から離間する方向へ延在し、前記遊技盤(10)の前面に当接する第１の壁部(38)と、前記第１の壁部(38)における本体(36)から離間する端部に形成されて前方へ突出する第２の壁部(40)と、前記本体(36)または第２の壁部(40)の内面側に設けられる第１係合部(48)とから、前方および遊技球(B)の発射方向へ開口するよう構成し、
前記球戻り防止具(50)は、前記本体(36)および第２の壁部(40)の間に収容され、該本体(36)に当接する基部(54)と、前記基部(54)に連設されて前記保持部(34)の発射方向の開口から前記遊技領域(16)に延在し、弾性変形することで前記案内レール(12)から遊技領域(16)への遊技球(B)の発射を許容する一方、該遊技領域(16)から案内レール(12)への遊技球(B)の進入を阻止する阻止片部(60)と、前記基部(54)に連設されて前記本体(36)および第２の壁部(40)の間に収容され、該第２の壁部(40)に当接する当接片部(56)と、前記基部(54)または当接片部(56)に形成され、前記第１係合部(48)に対して係脱可能に係合する第２係合部(55)と、前記第２係合部(55)を形成した基部(54)または当接片部(56)に設けられ、前記第１係合部(48)および第２係合部(55)の係合を解除させる操作部(58)とから構成し、
前記本体(36)と第２の壁部(40)との間に、前記基部(54)および当接片部(56)を臨ませることで、前記第１係合部(48)と第２係合部(55)とが係合して前記球戻り防止具(50)が前記保持部(34)に保持され、前記操作部(58)を操作して前記第１係合部(48)と第２係合部(55)との係合を解除することで、前記保持部(34)から球戻り防止具(50)を取外し得るようにしたことを要旨とする。
【０００７】
このように、合成樹脂製の内レールに前方に開口する保持部を形成し、遊技盤の前側から球戻り防止具を保持部に臨ませて、第１係合部と第２係合部とを係合させることにより球戻り防止具を所定位置に保持し得ると共に、この状態において操作部を前側から操作して係合状態を解除することにより球戻り防止具を保持部から取外し得る。すなわち、工具を用いることなく球戻り防止具を保持部に対して着脱できるから、該球戻り防止具の着脱作業を容易に行なうことができ、廃棄時等に球戻り防止具を分別する作業効率の向上に寄与し得る。
【０００８】
請求項２に係る遊技機における球戻り防止具の着脱構造は、前記第２の壁部(40)における発射方向側の端部には、前記本体(36)側へ延出する位置規制片(46)が形成されて、前記保持部(34)に球戻り防止具(50)を配設した際に、前記当接片部(56)における発射方向側の端部が位置規制片(46)に当接するようになっていることを要旨とする。
【０００９】
このように、前記保持部に球戻り防止具を配設した際に、球戻り防止具の当接片部における発射方向側の端部が、保持部に形成した位置規制片に当接することで、該球戻り防止具が発射方向へ移動して保持部から脱落するのを確実に防止し得る。
【００１０】
請求項３に係る遊技機における球戻り防止具の着脱構造は、前記保持部(34)は、前記第１係合部としての係合孔(48)が前記本体(36)に形成され、
前記球戻り防止具(50)は、前記第２係合部としての係合突部(55)が前記基部(54)に突設されると共に、前記基部(54)の後端部に当接片部(56)を連設して基部(54)を当接片部(56)側へ弾性変形させ得るよう形成され、
前記操作部(58)を操作して前記基部(54)を当接片部(56)側へ弾性変形させることで、前記係合孔(48)と係合突部(55)との係合を解除し得るよう構成したことを要旨とする。
【００１１】
このように、操作部を操作するだけで、保持部の係合孔と球戻り防止具の係合突部の係合状態を容易に解除できるから、球戻り防止具の取外し作業の容易化を図り得る。
【発明の効果】
【００１２】
本発明に係る遊技機における球戻り防止具の着脱構造によれば、合成樹脂製の内レールに対して、金属製の球戻り防止具を容易に着脱できる。
【発明を実施するための最良の形態】
【００１３】
次に、本発明に係る遊技機における球戻り防止具の着脱構造につき、好適な実施例を挙げて添付図面を参照しながら、以下詳細に説明する。なお、実施例では、一般的なパチンコ機の遊技盤に設けた案内レールに球戻り防止具を配設する構成を例にして説明する。なお、以下の説明において、「前・後」、「左・右」とは、特に断りのない限り、図１に示すように遊技盤を正面側から見た状態を基準にして指称するものとする。
【実施例】
【００１４】
図１に示すように、実施例に係るパチンコ機の遊技盤１０は、略矩形状に形成された板部材であって、図示しないパチンコ機本体に対して着脱可能に組み付けられる。前記遊技盤１０の盤面(前面)の左方位置には、左方に膨出する円弧状に形成した案内レール１２が配設されると共に、該盤面の右方位置には、左端縁を右方に凹む円弧状に形成した装飾飾り部材１４が配設されて、該案内レール１２および装飾飾り部材１４により略円形の遊技領域１６を画成するようになっている。そして、前記遊技盤１０における遊技領域１６内に多数の遊技釘(図示せず)を植設して、パチンコ球(遊技球)Ｂの接触により複雑な動きを付与するよう構成される。なお、前記遊技盤１０の遊技領域１６内には、パチンコ球Ｂが入賞可能な各種入賞装置や、図柄を変動表示可能な図柄表示装置等の遊技部品(何れも図示せず)が配設されて、該遊技領域１６を流下するパチンコ球Ｂの入賞装置への入賞により所要の遊技が行なわれるようになっている。
【００１５】
図１に示すように、前記案内レール１２は、遊技盤１０の盤面における外周近傍に設けられ、帯状の金属薄板を円弧状に湾曲させた外レール２０と、該外レール２０の右方に離間して設けられる合成樹脂製の内レール２２とから構成される。ここで、前記外レール２０および内レール２２は、１個のパチンコ球Ｂが通過し得るよう離間して遊技盤１０に設けられて、該内外のレール２０,２２によりパチンコ球Ｂが通過する発射通路２４を画成するようになっている。なお、図１に示すように、前記外レール２０は、前記遊技盤１０の左下部から前記装飾飾り部材１４の上端部に接続する長尺に形成される一方、前記内レール２２は装飾飾り部材１４の下端部から遊技盤１０の左上部まで延在する寸法に設定される。
【００１６】
すなわち、前記案内レール１２は、図１に示すように、前記発射通路２４が遊技盤１０の下端部における左寄り位置で下方に開口すると共に、遊技盤１０の左上部位置で遊技領域１６内に開口するよう構成されて、パチンコ機本体３６に配設した打球発射装置(図示せず)が打ち出したパチンコ球Ｂを、案内レール１２の下方開口を介して発射通路２４に受入れて、上方開口を介して遊技領域１６内に発射するよう構成されている。なお、以下の説明において、前記発射通路２４の上方開口を発射口２６と指称する。また、該発射口２６から遊技領域１６に発射されるパチンコ球Ｂの方向を発射方向として、遊技領域１６側を発射方向前側と指称し、発射通路２４側を発射方向後側と指称するものとする。
【００１７】
前記内レール２２は、図１または図２に示すように、前記外レール２０に倣う円弧状に形成されたレール部２８と、該レール部２８の上端部(内レール２２における発射口２６側の端部)に一体形成されて金属製の球戻り防止具５０(後述)を着脱可能な保持部３４と、レール部２８の下端部に一体形成されて遊技領域１６の外側に位置する固定部３０と、レール部２８の下側後端部に一体形成されて遊技領域１６の内側に位置し、球排出口３２ａを開設した平板部３２とから基本的に構成されている。ここで、前記内レール２２(レール部２８)の後端部には、後方へ突出する位置決め突部２８ａが複数箇所(実施例では３箇所。但し図２には１つの位置決め突部のみ図示してある)に突設されると共に、前記保持部３４および固定部３０には前後に貫通する通孔３０ａ,３８ａが夫々穿設されて、遊技盤１０に形成した位置決め孔１０ａに各位置決め突部２８ａを挿入した状態で、各通孔３０ａ,３８ａに挿通した固定ビス(図示せず)を遊技盤１０に螺挿することにより、内レール２２を遊技盤１０の所定位置に固定している。
【００１８】
なお、前記遊技盤１０における前記内レール２２の球排出口３２ａと対応する位置には、前後に貫通する開口部１０ｂが形成されており、前記各種入賞装置に入賞することなく遊技領域１６の下流部に到来したパチンコ球Ｂを、球排出口３２ａを介して遊技盤１０の裏側へ排出させ得るようになっている。また、前記固定部３０は、上下方向・前後方向および左右方向に所要の幅寸法で形成されており、前記遊技領域１６の下流部に集合するパチンコ球Ｂの重量および衝撃力による内レール２２の損傷を防止している。また、前記レール部２８の後端部には、図３〜図６に示すように、前記外レール２０側に延出するフランジ２８ｂが発射通路２４を通過するパチンコ球Ｂに接触しない寸法で形成されて、内レール２２の剛性を向上している。これにより、前記遊技領域１６を流下するパチンコ球Ｂが、前記内レール２２(レール部２８)に接触した場合に、該内レール２２(レール部２８)に変形や損傷等の不具合が生ずるのを防止している。
【００１９】
図３または図４に示すように、前記保持部３４は、前記外レール２０に沿うよう前記レール部２８の上端部に連接して延在する本体３６と、該本体３６に連設されて外レール２０から離間する方向(すなわち遊技領域１６の内側)へ延在し、遊技盤１０の前面に当接する第１の壁部３８と、該第１の壁部３８における本体３６から離間する端部に連設されて前方へ突出する第２の壁部４０と、該第２の壁部４０における発射方向後側の端部および本体３６に夫々連設する第３の壁部４２とから基本的に構成される。すなわち、前記本体３６および第１〜第３の壁部３８,４０,４２により、前方およびパチンコ球Ｂの発射方向前側へ開口する収容空間４４を画成して、該収容空間４４内に前記球戻り防止具５０を取り付けるようになっている。また、前記第２の壁部４０における発射方向前側の端部には、前記本体３６側へ延出して、前記球戻り防止具５０を位置決めする位置規制片４６を形成してある。なお、前記第２の壁部４０から前記位置規制片４６が突出する寸法は、収容空間４４の発射方向前側の開口を閉成しない範囲に設定される。
【００２０】
また、前記本体３６における前記第２の壁部４０に対向する面側(本体３６の内面側)には、該第２の壁部４０側に開口する係合孔(第１係合部)４８が形成されると共に、該本体３６の前端面には、前方および前記第２の壁部４０側に開放する凹部３６ａが形成されている。なお、前記凹部３６ａの前後方向の段差寸法は、前記球戻り防止具５０における操作部５８(後述)の厚さ寸法に略合致するよう設定される(図５参照)。また、前記第１の壁部３８には、前記固定ビスを挿通する通孔３８ａを穿設してある。
【００２１】
図３または図４に示すように、前記球戻り防止具５０は、前記保持部３４の収容空間４４に差込まれて、該保持部３４に着脱可能に取り付けられる取付部５２と、該取付部５２に連接して、保持部３４(収容空間４４)の発射方向前側の開口を介して遊技領域１６内に延出する阻止片部６０とから構成される。なお、前記球戻り防止具５０は、１枚の薄肉金属板(例えばＪＩＳ規格の材質ＳＵＳ３０１−ＣＳＰＨの肉厚０.１ｍｍの金属板)を打抜き折曲加工して形成されて、該球戻り防止具５０の各部５２,６０を必要に応じて弾性変形させ得るようになっている。
【００２２】
前記取付部５２は、図３または図４に示すように、前記保持部３４の収容空間４４に着脱可能に収容され、該保持部３４の本体３６に当接する基部５４と、該基部５４に連設されて保持部３４の収容空間４４に着脱可能に収容され、保持部３４の第２の壁部４０に当接する当接片部５６と、基部５４に形成され、前記係合孔４８に対して係脱可能に係合する係合突部５５と、該基部５４の前端に設けられ、係合孔４８と係合突部５５との係合を解除させる操作部５８とから基本的に構成される。ここで、前記当接片部５６は、前記基部５４の後端部に連設して前記保持部３４の第１の壁部３８に当接する第１支持面５６ａと、該第１支持面５６ａにおける基部５４から離間する端部に連接して前記第２の壁部４０に当接する第２支持面５６ｂとからなる断面略Ｌ字状に形成してある。すなわち、前記取付部５２は、前記基部５４の前端を当接片部５６(第２支持面５６ｂ)側へ近接・離間する方向へ弾性変形し得るよう構成される。そして、図５に示すように、前記球戻り防止具５０(取付部５２)を保持部３４に取り付けた際に、前記操作部５８が該保持部３４の本体３６に形成した前記凹部３６ａに臨んで、該本体３６および操作部５８の前面が同一面上に位置するようになっている。
【００２３】
また、前記当接片部５６の発射方向の幅寸法は、保持部３４の位置規制片４６および第３の壁部４２の離間寸法に略整合するよう設定される。また、前記基部５４と当接片部５６における第２支持面５６ｂとの離間寸法は、前記保持部３４の本体３６と第２の壁部４０との離間寸法と略整合するように設定されている。すなわち、前記球戻り防止具５０は、前記基部５４および当接片部５６を前記保持部３４の収容空間４４に対して前方開口を介して差込みおよび抜出し可能で、該基部５４および当接片部５６を保持部３４に差込んだ状態において、球戻り防止具５０がパチンコ球Ｂの発射方向へ移動するのを位置規制片４６で防止している。なお、基部５４および当接片部５６の前後方向の幅寸法は、前記保持部３４の対応する本体３６および第２の壁部４０における前後方向の幅寸法に略整合するよう設定されて、球戻り防止具５０を保持部３４に配設した際に、基部５４および当接片部５６が保持部３４の前方へ突出しないよう構成してある。
【００２４】
前記係合突部５５は、図３に示すように、前記基部５４にＵ字状の切れ込みを形成した部位を前記第２支持面５６ｂから離間する方向へ折り曲げることで形成されて、前記球戻り防止具５０(取付部５２)を保持部３４の収容空間４４に取り付けた際に、該係合突部５５が保持部３４の係合孔４８に臨んで係合するよう設定される(図５参照)。なお、前記係合突部５５は、その後端部で基部５４に連接するよう形成され、係合突部５５と係合孔４８とを係合させた状態で球戻り防止具５０(取付部５２)を前方へ移動する力が作用した場合であっても係合が解除されないようになっている。また、前記基部５４からの係合突部５５の突出寸法は、前記操作部５８を当接片部５６側に近接させるよう操作して基部５４を弾性変形させた際に、前記係合孔４８から抜け出る寸法に設定される(図６参照)。
【００２５】
また、前記阻止片部６０は、図３に示すように、前記基部５４からパチンコ球Ｂの発射方向前側へ向けて延出する直線部分６０ａの先端に、前記外レール２０へ向けて湾曲する円弧部分６０ｂを設けた帯状に形成される。そして、前記取付部５２を保持部３４の収容空間４４に差込んだ際に、前記保持部３４の発射方向前側の開口を介して阻止片部６０が遊技領域１６内へ延出して、該阻止片部６０の円弧部分６０ｂが前記案内レール１２の発射口２６を閉成するようになっている(図５〜図８参照)。すなわち、前記阻止片部６０は、前記発射口２６を通過したパチンコ球Ｂが阻止片部６０に当接した場合には、その荷重や衝撃力(当接力)に対して直線部分６０ａや円弧部分６０ｂが弾性変形して当接片部５６と外レール２０との間の隙間が拡がり、パチンコ球Ｂの遊技領域１６内への発射が許容される(図７参照)。一方、遊技領域１６内で遊技釘等に弾かれたパチンコ球Ｂが阻止片部６０に当接した場合には、該当接片部５６(円弧部分６０ｂ)は外レール２０に近接する方向へ弾性変形するため、パチンコ球Ｂが案内レール１２(発射通路２６)内へ進入するのは阻止される(図８参照)。
【００２６】
次に、実施例の遊技機における球戻り防止具の着脱構造の作用につき説明する。
【００２７】
前記保持部３４に球戻り防止具５０を取り付けるに際しては、保持部３４(収容空間４４)の前方開口に球戻り防止具５０の取付部５２を整列させた状態で、該取付部５２を保持部３４(収容空間４４)に差込む。このとき、取付部５２の基部５４に形成した係合突部５５が保持部３４の本体３６に当接すると、該係合突部５５および基部５４が当接片部５６に近接する方向へ弾性変形し、更に取付部５２を保持部３４(収容空間４４)に完全に差込むと、係合突部５５が本体３６の係合孔４８に臨んで弾性復帰し、係合突部５５と係合孔４８とが係合して、球戻り防止具５０が保持部３４に取り付けられる。
【００２８】
ここで、前記保持部３４に球戻り防止具５０を取り付けた状態では、前記係合突部５５と係合孔４８とが係合するから、該球戻り防止具５０が前方へ移動して保持部３４から抜け落ちることはない。また、前記球戻り防止具５０における当接片部５６の発射方向前側の端部が、保持部３４の位置規制片４６に当接すると共に、当接片部５６の発射方向後側の端部が、保持部３４の第３の壁部４２に当接するから、球戻り防止具５０が発射方向の前後へ移動するのは防止される。従って、パチンコ球Ｂの発射時に、球戻り防止具５０の阻止片部６０にパチンコ球Ｂが接触して球戻り防止具５０を発射方向前側へ引っ張る力が作用した場合や、遊技領域１６内のパチンコ球Ｂが阻止片部６０に接触して球戻り防止具５０を発射方向後側へ押下げる力が作用した場合であっても、球戻り防止具５０を確実に所定位置に保持することができる。すなわち、前記球戻り防止具５０を所定位置に保持することで、該球戻り防止具５０に所定の機能を発揮させることができ、遊技領域１６から案内レール１２へパチンコ球Ｂが進入するのを阻止することが可能である。
【００２９】
一方、前記球戻り防止具５０を保持部３４から取り外すに際しては、球戻り防止具５０の操作部５８を当接片部５６に近接させて基部５４を弾性変形させ、前記係合突部５５と係合孔４８との係合を解除したもとで、操作部５８を指先で摘んで前方へ抜出すことで球戻り防止具５０が保持部３４(収容空間４４)から取り外される。このように、球戻り防止具５０を保持部３４に対して工具を用いることなく着脱できるから、該球戻り防止具５０の着脱作業を容易に行なうことができ、廃棄時等に球戻り防止具５０を分別する作業効率の向上に寄与し得る。
【００３０】
また、前記保持部３４に球戻り防止具５０を取り付けた状態では、該球戻り防止具５０に設けた操作部５８が保持部３４(本体３６)に設けた凹部３６ａに臨む。ここで、前記凹部３６ａの前後方向の段差寸法と、球戻り防止具５０の厚さ寸法とを同程度に設定してあるから、前記保持部３４(本体３６)と操作部５８の前面が略同一面上に位置する。従って、球戻り防止具５０を保持部３４に保持した状態で内レール２２を取り扱った場合に、前記操作部５８が他部材等に引っ掛かる等の不具合が生ずるのを防止できる。また、球戻り防止具５０を取り外すに際しては、作業者が保持部３４(本体３６)の前面を指でなぞるだけで操作部５８に手指を掛けることができるから、該操作部５８を操作する際に不都合が生ずることはなく、球戻り防止具５０の取外しを容易に行なうことができる。なお、前記保持部３４に球戻り防止具５０を取り付けた状態において、前記操作部５８が保持部３４(本体３６)の凹部３６ａに臨むことで、球戻り防止具５０を発射方向前側あるいは後側へ移動させる力が作用した場合であっても、該操作部５８が凹部３６ａの周縁に係合することで、該球戻り防止具５０の移動をより確実に阻止し得る。
【００３１】
なお、実施例では、前記保持部３４を内レール２２に一体形成してあるから、該保持部３４を別途作製して内レール２２に取り付ける構成に較べて、組み付け作業や部品点数を削減してコストの低減を図り得る。更に、前記内レール２２には、固定部３０および球排出口３２ａを開設した平板部３２の夫々を一体形成してあるから、組み付け作業や部品点数を削減してコストの低減を図り得る。
【００３２】
〔変更例〕
なお、遊技機における球戻り防止具の着脱構造としては、実施例のものに限らず、種々の変更が可能である。例えば、実施例では、保持部の本体に第１係合部を形成したが、第２の壁部に第１係合部を形成するようにしてもよい。同様に、実施例では、球戻り防止具の基部に第２係合部を形成したが、当接片部に第２係合部を形成することも可能である。すなわち、第１および第２係合部の夫々は、保持部の本体および第２の壁部と、球戻り防止具の基部および当接片部との何れかに、相互に係脱可能に係合し得るよう形成すればよい。
【００３３】
また、実施例では、保持部に第１係合部としての係合孔を形成すると共に、球戻り防止具に第２係合部としての係合突部を形成したが、これに限られるものではなく、第１係合部としての係合突部を保持部に形成し、第２係合部としての係合孔を球戻り防止具に形成してもよい。すなわち、相互に係脱可能に係合し得る形状、構成であれば第１および第２係合部については任意に変更可能である。
【００３４】
実施例では、球戻り防止具の基部に操作部を設けたが、これに限られるものではなく、前記第２係合部を当接片部に形成した場合は、該当接片部に操作部を設けることにより、操作部の操作時に第１係合部と第２係合部との係合を解除可能し得るよう構成することが可能である。
【００３５】
実施例では、前記保持部に、位置規制片および第３の壁部の夫々を形成して、球戻り防止具の発射方向の前後への移動を防止するよう構成したが、保持部の構成としては、外レールに沿うよう内レールに連接して延在する本体と、本体に連設されて外レールから離間する方向へ延在し、遊技盤の前面に当接する第１の壁部と、第１の壁部における本体から離間する端部に形成されて前方へ突出する第２の壁部と、本体または第２の壁部の内面側に設けられる第１係合部とを少なくとも備えるようにすればよい。すなわち、前記第１および第２係合部の係合状態によって、球戻り防止具の発射方向の前後への移動を防止できる場合には、前記位置規制片および第３の壁部の何れか一方または両方を省略することも可能である。
【００３６】
実施例では、球戻り防止具の当接片部(第１支持面)を基部の後端部に連接して、該基部の前端部を当接片部に近接・離間可能に弾性変形するよう構成したが、これに限らず、基部における発射方向後側の端部に当接片部(第１支持面)を連接させてもよい。
【００３７】
また実施例では、保持部の本体に形成した凹部の前後方向の段差寸法を、球戻り防止具の操作部の厚み寸法に略合致するよう構成したが、これに限られるものではない。すなわち、凹部の前後方向の段差寸法を球戻り防止具の操作部の厚み寸法より大きく設定すれば、操作部が本体から突出するのを防止でき、また凹部の前後方向の段差寸法を球戻り防止具の操作部の厚み寸法より小さく設定すれば、操作部が本体から突出して作業者の手指をより容易に操作部に掛け得る利点がある。
【００３８】
実施例では、パチンコ機の遊技盤に配設した内レールに形成した保持部に球戻り防止具を着脱する構成を例示したが、これに限られるものではなく、アレンジボール機等であってもよく、外レールと合成樹脂製の内レールとからなる案内レールを遊技盤の前面に配設して、該案内レールを通過した遊技球を遊技領域へ発射すると共に、前記内レールにおける発射口側の端部に設けた保持部に金属製の球戻り防止具を配設して、遊技領域へ発射された遊技球が案内レールへ戻るのを防止するよう構成した遊技機に対して好適に採用し得る。
【００３９】
また、本発明に係る遊技機における球戻り防止具の着脱構造の具体的構成としては、以下のような限定が可能である。
請求項１〜３の何れかに記載の遊技機における球戻り防止具の着脱構造に関し、前記第２の壁部(40)における発射方向後側の端部には、前記本体(36)に連設する第３の壁部(42)が設けられ、前記保持部(34)に球戻り防止具(50)を配設した際に、前記当接片部(56)における発射方向後側の端部が第３の壁部(42)に当接するよう構成する。
【００４０】
このように、前記保持部に球戻り防止具を配設した際に、保持部に形成した第３の壁部に、球戻り防止具の当接片部における発射方向後側の端部が当接することで、該球戻り防止具を所定位置に確実に保持することができる。
【図面の簡単な説明】
【００４１】
【図１】本発明の実施例に係る遊技盤を、内レールに球戻り防止具を取り付けた状態で示す正面図である。
【図２】実施例に係る遊技盤を、外レールを省略すると共に内レールを取り外した状態で示す分解斜視図である。
【図３】実施例に係る内レールにおける保持部から球戻り防止具を取り外した状態を示す分解斜視図である。
【図４】実施例に係る内レールにおける保持部に球戻り防止具を取り付けた状態を拡大して示す正面図である。
【図５】実施例に係る保持部に球戻り防止具を取り付けた状態を示す図８のＡ−Ａ線断面図である。
【図６】実施例に係る保持部の係合孔と球戻り防止具の係合突部との係合を解除した状態を示す図８のＡ−Ａ線断面図である。
【図７】実施例に係る球戻り防止具と、発射されたパチンコ球との関係を示す概略説明図であって、(a)はパチンコ球が球戻り防止具の阻止片部に接触した状態を示し、(b)は阻止片部の弾性変形によりパチンコ球が遊技領域に発射された状態を示す。
【図８】実施例に係る球戻り防止具により遊技領域から発射通路へパチンコ球が進入するのを阻止する状態を示す概略説明図であって、(a)は遊技領域内のパチンコ球が球戻り防止具の阻止片部に接触した状態を示し、(b)は発射通路に進入することなくパチンコ球が落下する状態を示す。
【符号の説明】
【００４２】
１０  遊技盤
１２  案内レール
１６  遊技領域
２０  外レール
２２  内レール
２６  発射口
３４  保持部
３６  本体
３８  第１の壁部
４０  第２の壁部
４２  第３の壁部
４６  位置規制片
４８  係合孔(第１係合部)
５０  球戻り防止具
５４  基部
５５  係合突部(第２係合部)
５６  当接片部
６０  阻止片部
Ｂ  パチンコ球(遊技球)
【図１】
2007229142.tif 000003
【図２】
2007229142.tif 000004
【図３】
2007229142.tif 000005
【図４】
2007229142.tif 000006
【図５】
2007229142.tif 000007
【図６】
2007229142.tif 000008
【図７】
2007229142.tif 000009
【図８】
2007229142.tif 000010